【事件の表示】
　特許第３０８２８５１号「高架橋下の吸音足場の施工方法」の請求項１ないし９に係る特許に対する特許異議の申立てについて、次のとおり決定する。
【結　論】
　訂正を認める。
　特許第３０８２８５１号の請求項１ないし８に係る特許を維持する。
【理　由】
１．手続の経緯                                                       本件特許第３０８２８５１号に係る出願は、平成１０年１１月１８日の出願であって、平成１２年６月３０日に特許の設定登録がなされ、その後、積水樹脂株式会社から特許異議の申立がなされ、取消理由が通知され、その指定期間内である平成１３年１０月１日に訂正請求がなされたものである。
２．訂正の適否についての判断
（１）訂正事項
　ａ．特許請求の範囲の請求項１を
「【請求項１】
　高架橋補修工事用のために高架橋の下側に架設される足場用吸音パネルの施工方法であって、高架橋の下側の複数の所定部位に、長さ調整可能な要素を含み且つ着脱可能な吊り部材を取付ける工程、
　鉄筋を立体骨組み状に溶接した構造体と該構造体内に装着した吸音部材とを含んで成り、上面に取り付けプレートが突設された吸音パネルを持ち上げて前記吊り部材で空中にこれを保持する作業を行って、複数の吸音パネルを足場状に敷並べる工程、
　高架橋の下側に設けた前記吊り部材の近傍に固定部材を固設し、該固定部材に前記取り付けプレートを緩めにボルト締結することにより前記吸音パネルを高架橋に対して仮止め連結する工程、
　前記吊り部材の長さ調整可能な要素により前記各吸音パネル相互の高さを揃えるように調整する工程、
　前記吸音パネル相互の高さ調整後、前記仮止め連結の工程で緩めに締結したボルトを本締めして前記各吸音パネルを高架橋に対して完全に固定した後、前記吊り部材を撤去する工程、
の諸工程より成ることを特徴とする高架橋下の吸音足場の施工方法。」
と訂正する。
　ｂ．特許請求の範囲の請求項２から８を
「　【請求項２】
　吸音パネルは、構造体に吸音部材が装着された状態で高架橋に搬送されることを特徴とする請求項１記載の高架橋下の吸音足場の施工方法。
　　【請求項３】
　吸音パネルは、構造体に吸音部材が装着されていない状態で高架橋に搬送され、そこで装着されることを特徴とする請求項１記載の高架橋下の吸音足場の施工方法。
　　【請求項４】
　吸音パネルは、その構造体の上側の吸音板を更に含むことを特徴とする請求項１記載の高架橋下の吸音足場の施工方法。
　　【請求項５】
　吸音パネルは、その吸音板の上側の足場板を更に含むことを特徴とする請求項１記載の高架橋下の吸音足場の施工方法。
　　【請求項６】
　吸音パネルは、その空中保持のために、吊り部材と係合する係合部を有することを特徴とする請求項１記載の高架橋下の吸音足場の施工方法。
　　【請求項７】
　吸音パネルは、平面視形状が矩形状である吸音パネルと、平面視形状が略台形状である吸音パネル、とを含むことを特徴とする請求項１記載の高架橋下の吸音足場の施工方法。
　　【請求項８】
　吸音パネル間の隙間は、所定部材によって被われることを特徴とする請求項１記載の高架橋下の吸音足場の施工方法。」
と訂正する。
　ｃ．特許請求の範囲の請求項９を削除する。
　ｄ．明細書の発明の詳細な説明欄中の段落番号０００６を
「　　　【０００６】
　【課題を解決するための手段】
　上記課題を解決するために、本発明に係る吸音足場の形成方法は、高架橋補修工事用のために高架橋の下側に架設される足場用吸音パネルの施工方法であって、高架橋の下側の複数の所定部位に長さ調整可能な要素を含み且つ着脱可能な吊り部材を取付ける工程、吊り部材を取付け、鉄筋を立体骨組み状に溶接した構造体と該構造体内に装着した吸音部材とを含んで成り、上面に取り付けプレートが突設された吸音パネルを持ち上げて前記吊り部材で空中にこれを保持する作業を行って、複数の吸音パネルを足場状に敷き並べる工程、高架橋の下側に設けた前記吊り部材の近傍に固定部材を固設し、該固定部材に取り付けプレートを緩めにボルト締結することにより前記吸音パネルを高架橋に対して仮止め連結する工程、前記吊り部材の長さ調整可能な要素により前記各吸音パネル相互の高さを揃えるように調整する工程、前記吸音パネル相互の高さ調整後、前記仮止め連結の工程で緩めに締結したボルトを本締めして前記各吸音パネルを高架橋に対して完全に固定した後、前記吊り部材を撤去する工程、の諸工程より成ることを特徴とする。」
と訂正する。
　ｅ．明細書の発明の詳細な説明欄中の段落番号０００７を
「　　【０００７】
　好ましくは、吸音パネルは、構造体に吸音部材が装着された状態で高架橋に搬送される。好ましくは、吸音パネルは、構造体に吸音部材が装着されていない状態で高架橋に搬送され、そこで装着される。好ましくは、吸音パネルは、その構造体の上側の吸音板を更に含む。好ましくは、吸音パネルは、その吸音板の上側の足場板を更に含む。好ましくは、吸音パネルは、その空中保持のために、吊り部材と係合する係合部を有する。好ましくは、吸音パネルは、平面視形状が矩形状である吸音パネルと、平面視形状が略台形状である吸音パネル、とを含む。好ましくは、吸音パネル間の隙間は、所定部材によって被われる。」
と訂正する。
（２）訂正の目的の適否、新規事項の有無及び拡張・変更の存否
（２−１）上記訂正事項ａにおける請求項１中の「鉄筋を立体骨組み状に溶接した構造体と該構造体内に装着した吸音部材とを含んで成り」は、訂正前の請求項２に記載された事項であり、同じく「上面に取り付けプレートが突設された」は、「吸音パネル」を限定したものであって、願書に添付された明細書（以下、「特許明細書」という。）の発明の詳細な説明中の段落【００１２】に記載されており、同じく「該固定部材に取り付けプレートを緩めにボルト締結することにより前記吸音パネルを高架橋に対して仮止め連結する工程、前記吊り部材の長さ調整可能な要素により前記各吸音パネル相互の高さを揃えるように調整する工程、前記吸音パネル相互の高さ調整後、前記仮止め連結の工程で緩めに締結したボルトを本締めして前記各吸音パネルを高架橋に対して完全に固定し」は、訂正前の請求項１中の「前記吊り部材の長さ調整可能な要素により前記各吸音パネル相互の高さを揃えるように調整する工程、前記固定部材により前記各吸音パネルを高架橋に確定的に固定し」を限定及び明瞭にしたものであって、特許明細書の発明の詳細な説明中の段落【００１８】、【００１９】に記載されているから、これらの訂正は、特許請求の範囲の減縮及び明りょうでない記載の釈明を目的とするものであり、願書に添付した明細書又は図面に記載した事項の範囲内のものであり、さらに、実質上特許請求の範囲を拡張し、又は変更するものではない。
（２−２）また、訂正事項ｂ及びｃに係る訂正は、訂正事項ａにおいて、訂正前の請求項２の内容を訂正前の請求項１に付加する訂正をしたことにより、訂正前の請求項２が不要となったため、訂正前の請求項３〜９を訂正後の請求項２〜８に繰り上げたものであり、訂正後の請求項２〜８は、訂正後の請求項１に従属するものであるから、特許請求の範囲の減縮及び明瞭でない記載の釈明を目的とするものであり、新規事項の追加に該当せず、実質上特許請求の範囲を拡張し、又は変更するものではない。
（２−３）また、訂正事項ｄ及びｅに係る訂正は、訂正事項ａないしｃに関連して、特許請求の範囲との整合をとるためになされた明りょうでない記載の釈明に該当し、特許明細書に記載した事項の範囲内のものであり、さらに、実質上特許請求の範囲を拡張し、又は変更するものではない。
（３）むすび
　したがって、上記訂正は、特許法第１２０条の４第２項及び第３項において準用する特許法第１２６条第２項および第３項の規定に適合するので、当該訂正を認める。
３．異議の申立てについての判断
（１）本件訂正後発明
　本件訂正明細書の請求項１〜８に係る発明は、訂正明細書の特許請求の範囲の請求項１〜８に記載された下記の事項により特定されるとおりのものである（以下、「訂正後発明１〜８」という。）。
「【請求項１】
　高架橋補修工事用のために高架橋の下側に架設される足場用吸音パネルの施工方法であって、高架橋の下側の複数の所定部位に、長さ調整可能な要素を含み且つ着脱可能な吊り部材を取付ける工程、
　鉄筋を立体骨組み状に溶接した構造体と該構造体内に装着した吸音部材とを含んで成り、上面に取り付けプレートが突設された吸音パネルを持ち上げて前記吊り部材で空中にこれを保持する作業を行って、複数の吸音パネルを足場状に敷並べる工程、
　高架橋の下側に設けた前記吊り部材の近傍に固定部材を固設し、該固定部材に前記取り付けプレートを緩めにボルト締結することにより前記吸音パネルを高架橋に対して仮止め連結する工程、
　前記吊り部材の長さ調整可能な要素により前記各吸音パネル相互の高さを揃えるように調整する工程、
　前記吸音パネル相互の高さ調整後、前記仮止め連結の工程で緩めに締結したボルトを本締めして前記各吸音パネルを高架橋に対して完全に固定した後、前記吊り部材を撤去する工程、
の諸工程より成ることを特徴とする高架橋下の吸音足場の施工方法。
【請求項２】
　吸音パネルは、構造体に吸音部材が装着された状態で高架橋に搬送されることを特徴とする請求項１記載の高架橋下の吸音足場の施工方法。
【請求項３】
　吸音パネルは、構造体に吸音部材が装着されていない状態で高架橋に搬送され、そこで装着されることを特徴とする請求項１記載の高架橋下の吸音足場の施工方法。
【請求項４】
　吸音パネルは、その構造体の上側の吸音板を更に含むことを特徴とする請求項１記載の高架橋下の吸音足場の施工方法。
【請求項５】
　吸音パネルは、その吸音板の上側の足場板を更に含むことを特徴とする請求項１記載の高架橋下の吸音足場の施工方法。
【請求項６】
　吸音パネルは、その空中保持のために、吊り部材と係合する係合部を有することを特徴とする請求項１記載の高架橋下の吸音足場の施工方法。
【請求項７】
　吸音パネルは、平面視形状が矩形状である吸音パネルと、平面視形状が略台形状である吸音パネル、とを含むことを特徴とする請求項１記載の高架橋下の吸音足場の施工方法。
【請求項８】
　吸音パネル間の隙間は、所定部材によって被われることを特徴とする請求項１記載の高架橋下の吸音足場の施工方法。」
（２）申立の理由の概要
　申立人　積水樹脂株式会社は、下記の甲第１〜８号証を提出し、甲第１号証記載の発明の出願当時の技術水準を示す甲第２〜８号証のいずれかの記載事項を参照すれば、本件請求項１〜９に係る発明は、いずれも甲第１号証記載の発明と同一又は実質的に同一であり、しかも本件請求項１〜９に係る発明の発明者が甲第１号証記載の発明者と同一であるとも、本件出願時にその出願人が甲第１号証記載の発明の出願人と同一でもないので、本件請求項１〜９に係る発明の特許は、特許法第２９条の２の規定に違反してなされたものであるから、取り消すべき旨主張している。
　　　　　　　　　　　　　　記　　　　　　　　　　　　　　　　　　　　甲第１号証：特開平１１−１８１７１８号公報で援用する、特願平９−３５２７７５号の願書に最初に添付した明細書又は図面（以下、「先願明細書」という。）　　　　　　　　　　　　　　　　　　　　　　　　　　　　　甲第２号証：特公平４−４９６０４号公報　　　　　　　　　　　　　　　甲第３号証：特開平８−６８１９８号公報　　　　　　　　　　　　　　　甲第４号証：特開平９−１３２９０４号公報　　　　　　　　　　　　　　甲第５号証：特開平９−１１１９１０号公報　　　　　　　　　　　　　　甲第６号証：特開平８−３０２６２４号公報　　　　　　　　　　　　　　甲第７号証：特開平９−６０２９１号公報　　　　　　　　　　　　　　　甲第８号証：特開平９−１８４１１０号公報
（２）甲各号証の記載事項
（２−１）甲第１号証（先願明細書）
「【請求項１】桁裏面に設けられた相対向する桁材よりそれぞれ吊り下げられた複数の索条に、長方形状の複数のパネルを桁材と交差する向きに順次配列しつつ所定の高さで水平に吊り下げ、次いで吊り下げられたパネルを足場にして、パネル上にその長手方向と交差してパネル支持材を配設し、このパネル支持材で複数のパネルを互いに連結固定すると共に固定部材を介してこのパネル支持材を桁材に固定することを特徴とする高架構造物の桁裏面へのパネルの取付方法。」（特許請求の範囲）、
「本発明は、主として橋梁や高架道路等の高架構造物の桁裏面へのパネルの取付方法に関するものである。」（段落【０００１】）、
「そこで本発明は、取り付けるべきパネルを足場にしてパネルを取り付けることにより、上記の如き問題を解決し、作業性および安全性を向上させた高架構造物の桁裏面へのパネルの取付方法である。」（段落【０００４】）、
「パネルは、高架構造物の下を通行する車両の騒音が桁裏面で反射して周囲に騒音が漏れるのを防止するための吸音性を有する吸音パネルであってもよい」（段落【００１３】の１〜４行）、
「前記防音パネルとしては、例えば金属繊維等の集合体やセラミック等の粉末焼結体等の吸音材から形成されたものであってもよいし、又は多数の開孔を有する前面板と背面板とによって形成される中空パネル体内に吸音材が内装されたものであってもよいし、吸音性を有する筒体や半筒体が配列されたものであってもよく、特に限定されるものではない。（段落【００１４】）、
「まず桁裏面に設けられた相対向する桁材２に、それぞれ吊り下げ用のクランプ２１を複数取り付ける。」（段落【００２１】の１〜３行）、
「パネル３の少なくとも四隅に係止具３５を固定し、」（段落【００２１】の７〜８行）、
「図３は、パネル３に係止具３５を固定した状態の断面図であって、このパネル３は、防音パネルの場合を示し、Ａは、多数の開孔を有する踏み板兼用の前面板であり、Ｂは吸音材を示している。」（段落【００２１】の１０〜１３行）、
「前記パネル３の四隅の係止具３５にそれぞれチェーンやワイヤー等の索条６の下端を係止すると共にその索条６の上端を係止具３５と相対向する桁材２のクランプ２１にそれぞれ係止し、パネル３を桁材２と交差する向きにして、予め取付位置として設定された所定の高さまで水平に吊り下げる。」（段落【００２２】の１〜６行）、
「パネル３を所定の高さまで容易且つ正確に吊り上げるように、索条６のほぼ中間部に高さ調整具６１を設け、この調整具６１によって、高さの微調整が行えるようにしておくのが好ましい。」（段落【００２２】の６〜１０行）、
「そして、かかる同様の作業を繰り返し行い、複数のパネル３を桁材２と交差する向きに順次配列しつつ吊り下げる。」（段落【００２２】の２０〜２２行）、
「次にこの吊り下げられたパネル３上を足場にして、このパネル３を桁材２に取り付ければよく、図７の如く、まず桁材２と交差する向きに順次配列されたこの複数のパネル３の長手方向と交差して、パネル３の両端部よりやや内側に、パネル支持材４を二個並列に配設する。そして各パネル３の取付溝３２に予め挿入されたパネル支持材固定用の取付ボルト３４をパネル支持材４に穿設されたボルト孔等に挿入してナット締めすることにより、このパネル支持材４で複数のパネル３を互いに連結固定する。（段落【００２５】）、
「そして、複数のパネル３を互いに連結固定したこのパネル支持材４を固定部材５を介して桁材２に固定すればよい。」（段落【００２６】の１〜３行）、
「かようにして桁裏面を覆うように、パネル３を桁材２に取り付ければ、図８の如く、パネル３の取付作業は完了する。なおパネル３の取付作業が完了すれと、索条６や添接板３６を撤去するが、索条６や添接板３６をそのまま残しておいてもよい。」（段落【００２６】の８〜１３行）
　という記載と図面とから、先願明細書には、
 「高架構造物１の下側に架設される吸音パネル３の施工方法であって、高架構造物１の桁裏面に設けられた相対向する高架構造物の桁材２の所定部位より、高さ調整具６１を中間部に設けたチェーンやワイヤー等の複数の索条６を、それぞれ吊り下げる工程、吸音パネル３に索条６の下端を係止すると共に、索条の上端を高架構造物の桁材２に係止し、吸音パネル３を高架構造物の桁材２と交差する向きにして所定の高さまで水平に吊り下げる作業を行って、複数の吸音パネル３を足場状に敷並べる工程、吸音パネル３を足場にして、吸音パネル３上に、その長手方向と交差して、パネル支持材４を配設し、このパネル支持材４で複数の吸音パネル３を互いに連結固定する工程、固定部材５を介してパネル支持材４を高架構造物の桁材２に固定した後、前記索条６を撤去する工程、の緒工程により成る高架構造物下の吸音パネルの施工方法。」
　という発明が記載されている。
（２−２）甲第２号証
　甲第２号証には、「橋梁用常設点検通路装置に関するものである。」（１頁２欄８〜９行）、
「斜材を有するラーメン構造の横断面を有しアルミニユウム合金材の押出し成形により形成され前記受梁の溝を利用して受梁の長手方向に固定位置調整自在に固定される踏板」（２頁４欄１〜４行）、
「踏板は横断面をラーメン構造にされているので、十分な剛性を有する。このラーメン構造を斜材入りラーメン構造としたのでポストからかかる曲げモーメントに対し合成向上効果が著しい。」（２頁４欄３２〜３６行）、
「踏板４は第１図に示すように、横断面（通路長手方向に直行する断面）を斜材９入りのラーメン構造を有するホロー材（中空材）に形成される。」（３頁５欄４４〜６欄２行）
と記載されている。
（２−３）甲第３号証
　甲第３号証には、「高架道路や鉄道用高架橋などの高架構築物に対してメンテナンス作業を行うための移動式吊り足場装置」（段落【０００１】の１〜３行）、
「ガイドレールが付設されたトラス梁を複数有することでガイドレールと共に移動自在に吊持される足がデッキを備えた移動式吊り足場装置」（段落【０００７】の３〜５行）
と記載されている。
（２−４）甲第４号証
　甲第４号証には、「十分な吸音効果を持ち、メンテナンスのために新たに足場を設ける必要がなく、しかも高架道路本体からの放射音による音圧上昇のない吸音装置を提供するためになされたものである。」（段落【０００４】の２〜５行）、
「上面に吸音性の足場板を備えた吸音筒を、高架道路の下部に多数本配置したことを特徴とするものである。」（段落【０００５】の２〜４行）、
「この吸音筒５は、吸音性の本体部分６の上面に吸音性の足場板７を備えたもので、図示の例では吸音筒５の本体部分６はアルミニウムやステンレス等の金属繊維を圧着または接着した板状の多孔質吸音材によって構成され、その内部にグラスウール等の繊維状吸音材８を充填した構造とされている。」（段落【０００７】の２〜８行）
と記載されている。
（２−５）甲第５号証
　甲第５号証には、「高架橋の桁下、特に鋼桁高架橋の桁下に取り付けられ、かつ桁下前面に設置されて高架橋構築物から放射させる個体伝播音を遮音・制振するとともに吸音性をもち、同時に足場としても作用する吸音性制振形材に関する。」（段落【０００１】の１〜５行）、
「吸音性制振形材７は、図２に示すように、全体として扁平な中空枠体形状をなすアルミニウム合金の押出形材１０と、そのフラットな表面部を構成する遮音板１１の内面に溶着された例えば瀝青系樹脂からなる制振材１２と、その中空部、すなわち吸音室に挿入されたグラスウール、ロックウール、発泡アルミニウム、発泡コンクリート等の吸音材１３からなるユニットである。」（段落【０００８】の１〜８行）
と記載されている。
（２−６）甲第６号証
　甲第６号証には、「本発明は、橋梁、高架道路橋等の高架構築物の下部、或いは堀割や半地下道路の側面、高速道路、又は一般ビルの壁面の地下道の天井面等に、主として美粧化と吸音用として取付けられる吸音パネルに関するものである。」（段落【０００１】の１〜５行）、
「図１〜４において、１１は長さ方向に開口溝１２を有する枠材であって、該枠材１１が開口溝１２を内側にして矩形状に枠組みされてパネル枠１が形成され、そのパネル枠１の表面側に、断面がほぼ台形中空状の化粧ルーバー２が適宜間隔をおいて複数個、その両端部が相対向する枠材１１の表面にそれぞれ係止されて、取付けられている。そしてパネル枠１の内部に吸音材３が、その枠材１１の前記開口溝１２に挿入されて、内蔵されている。」（段落【０００８】の４〜９行）、
「また化粧ルーバー２を形成する材質は吸音性を具備しないものであってもよいが、例えばアルミニウム繊維等からなる吸音性を具備した吸音板から形成すれば、化粧ルーバー２からも音が吸音されるため、吸音効果が一層高まり、好ましい。」（段落【００１０】の１〜５行）、
「また遮音板７をグレーテイング等の作業荷重に耐える板にすれば、高架構築物の桁裏面に使用した場合、これら躯体のメンテナンスが簡単に行えるので好ましい。」（段落【００１５】の８〜１１行）
と記載されている。
（２−７）甲第７号証
　甲第７号証には、「【請求項１】高架橋の………を有する高架橋」（【特許請求の範囲】の【請求項１】〜【請求項４】）、
「本発明は、上記従来の………ことを目的とする。」（段落【０００４】の１〜【０００５】の３行）、
「上記の構成からなる高架橋は、床板の下面の略前面を遮蔽するように………走行している車両の騒音を低減することができる。」（段落【０００７】の１〜【００１３】の４行）
と記載されている。　　　　　　　　　　　
（２−８）甲第８号証
　甲第８号証には、「多数の透孔を有する上面板と、多数の透孔を有し、下方に突出する膨出部内を含む上面板と下面板との間に充填した吸音材とで構成したことを特徴とする高架橋の足場兼用吸音部材。」（【特許請求の範囲】の【請求項１】）、
「本発明は、上記従来の高架橋の下に道路を併設した高架橋の有する問題点を解決し、車両の騒音を低減できるとともに、補修作業の作業効率を向上することができる高架橋の足場兼用吸音部材を提供することを目的とする。」（段落【０００４】の１〜５行）、
「この足場兼用吸音部材３は、枠部材３２の………形成し、上面板３１を補強するようにしたものである。」（段落【００１７】の２〜１０行）
と記載されている。
（３）対比・判断
 （３−１）訂正後発明１について
　訂正後発明１と先願明細書記載の発明とを対比すると、「高架橋」は、「高架構造物」の１種であり、先願明細書記載の発明の「吸音パネル」も吊り下げられた後は「足場用吸音パネル」であるから、先願明細書記載の発明の「高架構造物１、高架構造物の桁材２」、「吸音パネル３」、「索条６」、「高さ調整具６１」及び「固定部材５」は、それぞれ、訂正後発明１の「高架橋」、「足場用吸音パネル」、「吊り部材」、「長さ調整可能な要素」及び「固定部材」に相当するので、両者は、
　「高架橋の下側に架設される足場用吸音パネルの施工方法であって、高架橋の所定部位に、長さ調整可能な要素を含み且つ着脱可能な吊り部材を取付ける工程、吸音パネルを持ち上げて前記吊り部材で吸音パネルを空中に保持する作業を行って、複数の吸音パネルを足場状に敷並べる工程、固定部材を介して吸音パネルを高架橋に固定した後、前記吊り部材を撤去する工程、の諸工程により成る高架橋下の吸音足場の施工方法。」
　の点で一致し、下記の点で相違する。
（３−１−１）相違点１
　吸音パネルを足場状に敷並べる工程の次の工程に関し、訂正後発明１は、「高架橋の下側に設けた吊り部材の近傍に固定部材を固設し、固定部材に取り付けプレートを緩めにボルト締結することにより吸音パネルを高架橋に対して仮止め連結する工程、吊り部材の長さ調整可能な要素により各吸音パネル相互の高さを揃えるように調整する工程、吸音パネル相互の高さ調整後、仮止め連結の工程で緩めに締結したボルトを本締めして各吸音パネルを高架橋に対して完全に固定する工程」のものであるのに対し、先願明細書記載の発明は、「吸音パネルを足場にして、吸音パネル上に、その長手方向と交差して、パネル支持材を配設し、このパネル支持材で複数の吸音パネルを互いに連結固定する工程、固定部材を介してパネル支持材を高架橋に固定する工程」のものである点。
（３−１−２）相違点２
　吸音パネルに関し、訂正後発明１は、「鉄筋を立体骨組み状に溶接した構造体と該構造体内に装着した吸音部材とを含んで成り、上面に取り付けプレートが突設され、高架橋補修工事用のもの」であるのに対し、先願明細書記載の発明は、そのような構成を有していない点。
　そこで、相違点について検討すると、
　相違点２を検討するまでもなく、相違点１における訂正後発明１の、高架橋の下側に設けた各固定部材と、各吸音パネルの上面に突設された取り付けプレートを仮止め連結し、各吸音パネル相互の高さ調整後、各吸音パネルを高架橋に対して完全に固定する点、すなわち、「高架橋の下側に設けた吊り部材の近傍に固定部材を固設し、固定部材に取り付けプレートを緩めにボルト締結することにより吸音パネルを高架橋に対して仮止め連結する工程、吊り部材の長さ調整可能な要素により各吸音パネル相互の高さを揃えるように調整する工程、吸音パネル相互の高さ調整後、仮止め連結の工程で緩めに締結したボルトを本締めして各吸音パネルを高架橋に対して完全に固定する工程」については、吸音パネル上に配設したパネル支持材で複数の吸音パネルを互いに連結固定し、そのパネル支持材を、固定部材を介して高架橋に固定するような工程が記載されている先願明細書には、記載も示唆もされておらず、また、先願明細書の出願当時の技術水準を示すものとして提出された、甲第２〜８号証を参照しても、高架橋の吸音パネルについては記載されているものの、相違点１における訂正後発明１に係る工程は記載も示唆もされていないから、周知、慣用ということもできない。
　したがって、訂正後発明１が、甲第１号証に係る先願（特願平９−３５２７７５号）の出願当初の明細書又は図面に記載された発明と同一であるとも、実質的に同一であるともすることができない。
 （３−２）訂正後発明２〜８について
　訂正後発明２〜８は、訂正後発明１を更に技術的に限定したものであるから、上記訂正後発明１についての判断と同様の理由により、甲第１号証に係る先願（特願平９−３５２７７５号）の出願当初の明細書及び図面記載の発明と同一であるとも、実質的に同一であるともすることができない。
（４）むすび
　以上のとおりであるから、異議申立ての理由及び証拠によっては、訂正後発明１〜８の特許を取り消すことはできない。
　また、他に訂正後発明１〜８の特許を取り消すべき理由を発見できない。
  よって、結論のとおり決定する、
【異議決定日】
平成１３年１０月２５日（２００１．１０．２５）
【訂正の要旨】
訂正の要旨
（１）特許第３０８２８５１号発明の明細書中特許請求の範囲
「【請求項１】　高架橋補修工事用のために高架橋の下側に架設される足場用吸音パネルの施工方法であって、
高架橋の下側の複数の所定部位に、長さ調整可能な要素を含み且つ着脱可能な吊り部材を取付ける工程、
吸音パネルを持ち上げて前記吊り部材で空中にこれを保持する作業を行って、複数の吸音パネルを足場状に敷並べる工程、
高架橋の下側に設けた前記吊り部材の近傍に固定部材を固設する工程、
前記吊り部材の長さ調整可能な要素により前記各吸音パネル相互の高さを揃えるように調整する工程、
前記固定部材により前記各吸音パネルを高架橋に確定的に固定した後、前記吊り部材を撤去する工程、
の諸工程より成ることを特徴とする高架橋下の吸音足場の施工方法。
　【請求項２】　吸音パネルは、鉄筋を立体骨組み状に溶接した構造体と、該構造体内に装着した吸音部材、とを含んで成ることを特徴とする請求項１記載の高架橋下の吸音足場の施工方法。
　【請求項３】　吸音パネルは、構造体に吸音部材が装着された状態で高架橋に搬送されることを特徴とする請求項２記載の高架橋下の吸音足場の施工方法。
　【請求項４】　吸音パネルは、構造体に吸音部材が装着されていない状態で高架橋に搬送され、そこで装着されることを特徴とする請求項２記載の高架橋下の吸音足場の施工方法。
　【請求項５】　吸音パネルは、その構造体の上側の吸音板を更に含むことを特徴とする請求項１記載の高架橋下の吸音足場の施工方法。
　【請求項６】　吸音パネルは、その吸音板の上側の足場板を更に含むことを特徴とする請求項１記載の高架橋下の吸音足場の施工方法。
　【請求項７】　吸音パネルは、その空中保持のために、吊り部材と係合する係合部を有することを特徴とする請求項１記載の高架橋下の吸音足場の施工方法。
　【請求項８】　吸音パネルは、平面視形状が矩形状である吸音パネルと、平面視形状が略台形状である吸音パネル、とを含むことを特徴とする請求項１記載の高架橋下の吸音足場の施工方法。
　【請求項９】　吸音パネル間の隙間は、所定部材によって被われることを特徴とする請求項１記載の高架橋下の吸音足場の施工方法。」
とあるのを、特許請求の範囲の減縮及び明りょうでない記載の釈明を目的として、
「【請求項１】
　高架橋補修工事用のために高架橋の下側に架設される足場用吸音パネルの施工方法であって、高架橋の下側の複数の所定部位に、長さ調整可能な要素を含み且つ着脱可能な吊り部材を取付ける工程、
　鉄筋を立体骨組み状に溶接した構造体と該構造体内に装着した吸音部材とを含んで成り、上面に取り付けプレートが突設された吸音パネルを持ち上げて前記吊り部材で空中にこれを保持する作業を行って、複数の吸音パネルを足場状に敷並べる工程、
　高架橋の下側に設けた前記吊り部材の近傍に固定部材を固設し、該固定部材に前記取り付けプレートを緩めにボルト締結することにより前記吸音パネルを高架橋に対して仮止め連結する工程、
　前記吊り部材の長さ調整可能な要素により前記各吸音パネル相互の高さを揃えるように調整する工程、
　前記吸音パネル相互の高さ調整後、前記仮止め連結の工程で緩めに締結したボルトを本締めして前記各吸音パネルを高架橋に対して完全に固定した後、前記吊り部材を撤去する工程、
の諸工程より成ることを特徴とする高架橋下の吸音足場の施工方法。
　【請求項２】
　吸音パネルは、構造体に吸音部材が装着された状態で高架橋に搬送されることを特徴とする請求項１記載の高架橋下の吸音足場の施工方法。
　【請求項３】
　吸音パネルは、構造体に吸音部材が装着されていない状態で高架橋に搬送され、そこで装着されることを特徴とする請求項１記載の高架橋下の吸音足場の施工方法。
　【請求項４】
　吸音パネルは、その構造体の上側の吸音板を更に含むことを特徴とする請求項１記載の高架橋下の吸音足場の施工方法。
　【請求項５】
　吸音パネルは、その吸音板の上側の足場板を更に含むことを特徴とする請求項１記載の高架橋下の吸音足場の施工方法。
　【請求項６】
　吸音パネルは、その空中保持のために、吊り部材と係合する係合部を有することを特徴とする請求項１記載の高架橋下の吸音足場の施工方法。
　【請求項７】
　吸音パネルは、平面視形状が矩形状である吸音パネルと、平面視形状が略台形状である吸音パネル、とを含むことを特徴とする請求項１記載の高架橋下の吸音足場の施工方法。
　【請求項８】
　吸音パネル間の隙間は、所定部材によって被われることを特徴とする請求項１記載の高架橋下の吸音足場の施工方法。」
と訂正する。
（２）特許第３０８２８５１号発明の明細書を本件審判請求書に添付された訂正明細書のとおりに、すなわち明細書の段落【０００６】、【０００７】を明りょうでない記載の釈明を目的として、
「【０００６】
　【課題を解決するための手段】
　上記課題を解決するために、本発明に係る吸音足場の形成方法は、高架橋補修工事用のために高架橋の下側に架設される足場用吸音パネルの施工方法であって、高架橋の下側の複数の所定部位に長さ調整可能な要素を含み且つ着脱可能な吊り部材を取付ける工程、吊り部材を取付け、鉄筋を立体骨組み状に溶接した構造体と該構造体内に装着した吸音部材とを含んで成り、上面に取り付けプレートが突設された吸音パネルを持ち上げて前記吊り部材で空中にこれを保持する作業を行って、複数の吸音パネルを足場状に敷き並べる工程、高架橋の下側に設けた前記吊り部材の近傍に固定部材を固設し、該固定部材に取り付けプレートを緩めにボルト締結することにより前記吸音パネルを高架橋に対して仮止め連結する工程、前記吊り部材の長さ調整可能な要素により前記各吸音パネル相互の高さを揃えるように調整する工程、前記吸音パネル相互の高さ調整後、前記仮止め連結の工程で緩めに締結したボルトを本締めして前記各吸音パネルを高架橋に対して完全に固定した後、前記吊り部材を撤去する工程、の諸工程より成ることを特徴とする。
　【０００７】
　好ましくは、吸音パネルは、構造体に吸音部材が装着された状態で高架橋に搬送される。好ましくは、吸音パネルは、構造体に吸音部材が装着されていない状態で高架橋に搬送され、そこで装着される。好ましくは、吸音パネルは、その構造体の上側の吸音板を更に含む。好ましくは、吸音パネルは、その吸音板の上側の足場板を更に含む。好ましくは、吸音パネルは、その空中保持のために、吊り部材と係合する係合部を有する。好ましくは、吸音パネルは、平面視形状が矩形状である吸音パネルと、平面視形状が略台形状である吸音パネル、とを含む。好ましくは、吸音パネル間の隙間は、所定部材によって被われる。」
と訂正する。
（５４）【発明の名称】
高架橋下の吸音足場の施工方法
（５７）【特許請求の範囲】
　【請求項１】
高架橋補修工事用のために高架橋の下側に架設される足場用吸音パネルの施工方法であって、高架橋の下側の複数の所定部位に、長さ調整可能な要素を含み且つ着脱可能な吊り部材を取付ける工程、
鉄筋を立体骨組み状に溶接した構造体と該構造体内に装着した吸音部材とを含んで成り、上面に取り付けプレートが突設された
高架橋の下側に設けた前記吊り部材の近傍に固定部材を固設
し、該固定部材に前記取り付けプレートを緩めにボルト締結することにより前記吸音パネルを高架橋に対して仮止め連結
前記吊り部材の長さ調整可能な要素により前記各吸音パネル相互の高さを揃えるように調整する工程、
前記吸音パネル相互の高さ調整後、前記仮止め連結の工程で緩めに締結したボルトを本締めして
対して完全に
の諸工程より成ることを特徴とする高架橋下の吸音足場の施工方法。
　【請求項２】
吸音パネルは、
構造体に吸音部材が装着された状態で高架橋に搬送される
　【請求項３】
吸音パネルは、
構造体に吸音部材が装着されていない状態で高架橋に搬送され、そこで装着される
請求項１記載
　【請求項４】
吸音パネルは、
その構造体の上側の吸音板を更に含む
請求項１記載
　【請求項５】
吸音パネルは、
その吸音板の上側の足場板を更に含む
　【請求項６】
吸音パネルは、
その空中保持のために、吊り部材と係合する係合部を有すること
　【請求項７】
吸音パネルは、
平面視形状が矩形状である吸音パネルと、平面視形状が略台形状である吸音パネル、とを含む
　【請求項８】
吸音パネル間の隙間は、所定部材によって被われる
【発明の詳細な説明】
　【０００１】
　【発明の属する技術分野】
本発明は、高架道路や高架鉄道などの空中に架設された高架橋の桁下に空中敷設される足場兼用吸音装置（以下、吸音足場）に関する。
　【０００２】
　【従来の技術】
高架橋における騒音公害は、高架橋上を走行する車両からの騒音と、高架橋下の地上を走行する車両が発する騒音の反響によるものから構成される。高架橋上の騒音対策については、従来より考慮が払われているが、高架橋による地上騒音の反響による二次的騒音については、吸音板を従来工法で設置することによってこれに対応している。この従来工法について以下簡潔に説明する。
　【０００３】
先ず、高架橋の桁下に専用の足場を組み付ける作業を行うと共に高架橋現場の正確な測量・調査作業を行う。そして、これに基づく綿密な計画・設計・製図作業の後、吸音板の製作作業に移る。ここ迄の作業を終えるのに通常半年という期間が費消される。次には、現場工事に移る。すなわち、既設スチフナーの穴空け作業や新設スチフナーの溶接・取付け作業を行い、その後、ブラケット取付け作業、吊り材取付け作業、縦梁取付け作業、横梁取付け作業、吸音板（パネル）取付け作業、化粧板取付け作業等を経て、最終的に足場を撤去することにより現場工事が完了する。通常この一連の現場工事の間中、高架橋下を走行する車両の大規模な車両規制が行われる。
　【０００４】
　【発明が解決しようとする課題】
しかるに、上記従来工法にあっては、上述したように現場工事に移るまでに非常に長期間を要するという不都合がある。また、現場工事に移った後においては、これまた長期間の間、交通規制を行わなければならないという不都合がある。更に、現場工事の完了後には足場が撤去されてしまうので、将来的に補修工事等を行う場合に、再度足場を組み付ける必要があり、極めて不経済であるという不都合がある。
　【０００５】
そこで、本発明は、斯かる従来工法の有する様々な不都合を見事に解決できる革新的な工法を提供することをその課題とする。
　【０００６】
　【課題を解決するための手段】
上記課題を解決するために、本発明に係る吸音足場の施工方法は、高架橋補修工事用のために高架橋の下側に架設される足場用吸音パネルの施工方法であって、高架橋の下側の複数の所定部位に、長さ調整可能な要素を含み且つ着脱可能な吊り部材を取付ける工程、
鉄筋を立体骨組み状に溶接した構造体と該構造体内に装着した吸音部材とを含んで成り、上面に取り付けプレートが突設された
し、該固定部材に前記取り付けプレートを緩めにボルト締結することにより前記吸音パネルを高架橋に対して仮止め連結
前記吸音パネル相互の高さ調整後、前記仮止め連結の工程で緩めに締結したボルトを本締めして
対して完全に
　【０００７】
好ましくは、
　【０００８】
　【発明の実施の形態】
以下、本発明の実施の形態を図面を参照して説明する。先ず、本発明の要部を成す、吸音足場を構成する要素である吸音パネルの単体構造の実施例について図１〜８を参照して以下詳細に説明する。図１及び２を参照すると、この吸音パネル１は、本出願人が製造及び販売する立体溶接鉄筋構造体（ファブデッキ（商品名））３と、この鉄筋構造体内部に装着される吸音部材５、とを本質的に有して成り、更に、鉄筋構造体３の上に配置される矩形板状の吸音板７と、吸音板７の上に配置される床板（足場板）９、とを含んで構成される。
　【０００９】
図３にその単体を斜視的に示す鉄筋構造体（ファブデッキ）３は、工場で自動溶接機により鉄筋同士が自動接合されることによって大量に規格量産されるものであって、基本的に、上下及び横に平行に配置された主筋すなわち縦筋１１（筋径：８〜１１φ、縦筋間隔：１５０ｍｍ程度、高さ：〜１２５ｍｍ）と、縦筋１１を横断するように配置された上下の配力筋すなわち横筋１３（筋径：８〜１１φ、横筋間隔：２００ｍｍ程度）と、上下の縦筋１１を連結固定すると共にこれと横筋１３とを連結固定するための三角波状に折曲して成るウエブ筋１５（筋径：６φ程度）、とを含んで成る。
　【００１０】
図４に拡大して示すように、鉄筋構造体３の内部には、多数のウエブ筋部分によって横方向に延びる三角柱状の空間部が多数画成され、これらの空間部には、例えば１つ置きに、三角柱状の吸音部材５とその２面を被うようにＶ字形に折曲したいわゆるパンチングプレート１７（例えば、ｔ＝１．５ｍｍアルミ板、１５φ穴）とが横方向から装着される。尚、吸音部材５の装着に関しては、工場生産中に行う場合に限られるものではなく、現場において当該作業を行うようにすることもできる。また、総ての空間部に吸音部材５を埋め尽くすように構成することもできる。
　【００１１】
図５にその単体を示すをパンチングプレート１７は、吸音部材５を支える機能の他に、吸音部材５の劣化を防止すると共に美観を保持する機能を有し、多数の穴（１５φ）は音波の自由な通過を許容するためのものである。図６にその単体の横断面を示す吸音部材５の各々は、パンチングプレート１７に接する面に撥水性ガラスクロスが付設された撥水性グラスウール（例えば、３２ｋｇ／ｍ３）から成る。尚、このグラスウールに代えて、ロックウール或いは他の部材を採用できる。
　【００１２】
図７にその単体の断面を示す、鉄筋構造体３の上側に配置される吸音板７は、一般グラスウール（例えば、３２ｋｇ／ｍ３、５０ｍｍ厚）から成る。吸音板７の上側の床板（踏み板もしくは足場板）９は、例えば、２００ｍｍ幅の所定長さのデッキ板を隙間なく接続した構成から成る（図１）。以上のパネル構成要素は、枠体１９等で一体化（剛的に連結されていなくても良い）され、これにより吸音パネル１が構成され、吸音パネル上面の略四隅には、取付け用プレート２１が突設される（図８）。
　【００１３】
尚、上記吸音パネルに関する説明において用いた縦横（桁梁）などの用語は、後述する高架橋の構造とは直接的な関係はなく、吸音足場として剛性の大きい方向が縦（桁）と呼び、ウエブ筋で補強する方向を単に意味している。従って、高架橋の桁方向と吸音足場の桁方向とは一致させても一致させなくても差し支えない。
　【００１４】
以下には、上述した吸音パネル１の設置（作業）工程の一例を詳細に説明する。しかし、ここで説明する本発明に係る設置工程自体が斬新な特徴を有するのであって、その吸音パネルが上述した吸音パネル構造に絶対的に限定されるものではない。換言すると、本設置工程は、上記本発明に係る鉄筋構造体（ファブデッキ）３に吸音部材５を詰めたタイプの吸音パネル１に限定されない。経済的、重量的、構造的等において、ファブデッキの優位性は絶対的であるが、例えば、鉄板（特に、床板用デッキプレート等）の下部に金網等から成る受け部を設け、その中に適切な吸音部材を詰めること（更には、スパンを構造的に問題無い長さ、例えば１ｍにすること）によっても、類似の効果を得ることができる。従って、そのような構成も本発明に包含されると言える。
　【００１５】
（１）先ず、図９及び１０に示すように、高所作業車３１を用いて、作業者Ｐは、そのステージ手摺りから、高架橋３３の各橋脚３５の間に親綱を設置する作業を行う。作業者Ｐは安全帯を使用することとし、工事範囲全体に亙って安全作業が行われるように配慮する。
　（２）図１１に示すように、Ｉ形断面の桁３７の下面の要所要所にチェーン吊金具３９をクランプ固定して、これに直接又は丸棒状部材を介して足場用チェーン４１を取付け、更にフック付タンバックル４３を取付ける。
　【００１６】
（３）図１２及び１３に示すように、重機により吸音パネル１を持ち上げ、それに足場用チェーン４１（フック付タンバックル４３）を引っ掛ける作業を多数の吸音パネル１について次から次に行い、多数の吸音パネル１を所定高さ位置に略水平な面（足場面）を構成し得るように空間的に保持する。最外側部の吸音パネル１には、予めカバー支柱４５が立設される。
　【００１７】
（４）図１４に示すように、最外側部のパネル側面に、足場ブラケット４７を介して、ファブステージ足場４９を取付ける。更にファブステージ足場４９の側面近傍上面に養生パネル（（通称）あさがおパネル）５１を組み付ける。そして、吸音パネル全面及びファブステージ足場４９に防災シート５３を敷き詰める。
　（５）図１５に示すように、桁３７の側面下部の要所要所にブラケット取付け板５５を溶接する。
　【００１８】
（６）図１６に示すように、ブラケット取付け板５５にチャンネル状のブラケット５７をボルトで固定する。
　（７）図１７に示すように、桁３７と一体化されたブラケット５７と、吸音パネル１の取付け用プレート２１とを、吊下げチャンネル５９を間に介してボルトで仮止め連結する。この際、ボルト締結は緩めにしておく。この工程の作業は、関係する総ての吸音パネル１について行う。
　【００１９】
（８）図１８に示すように、基準にすべき吸音パネル１とその高さ（レベル）とを決定し、当該吸音パネル１がその高さになるように、フック付タンバックル４３を調整する。
　（９）図１９に示すように、前記工程の吸音パネル１のレベル調整後に上下方向ボルトの本締（（あ））を行い、吸音パネル１の通りを出す（相互間調整）作業を行ってから、縦横ボルトの本締（（い））を行い、吸音パネル１を完全に桁３７側に固定する。以降は、この固定完了した吸音パネル１を基準にして他の吸音パネル１の固定作業を次々に行っていく。
　【００２０】
（１０）図２０に示すように、総ての吸音パネル１の固定後に、カバー支柱４５の外側面に化粧パネル６１を取付けていく。そして、防災シートを撤去する。
　（１１）図２１及び２２に示すように、養生パネル５１、防災シート５３、及び、ファブステージ足場４９を取り外して撤去する。図２３は、内部が見えるように高架橋の上部を破断して、吸音パネル１が整然と固定配置されて（敷き詰められた）状態を斜視的に描いたものである。
　【００２１】
図２４は、吸音パネルの取付けが完了した高架橋全体の横断面を描いたものである。尚、吸音パネル（足場）間の隙間には、踏み板兼用の目板を配設することが考えられる。この場合、合わせ目の違和感をなくすと共に物の落下をなくすことができ好ましい。ところで、高架橋が直線的に延びているような場合には、図２５に示すように吸音パネルは矩形状（平面視）に敷き詰められることになる。しかし、高架橋が曲がっている場合も当然にあり、その場合の例を図２６（曲率が小さい）と図２７（曲率が大きい）に示す。
　【００２２】
高架橋の直線部分に用いるべき一般的な矩形状の吸音パネルを敷き詰めてもこのような湾曲したパネル群（パネル面）を構成できる。その場合は、吸音パネル間の隙間が非常に大きくなる虞れがあるが、目板でこれを埋めるようにすれば、其れ程の問題は生じない。或いは、高架橋の湾曲部分専用の略台形状ないし扇形（平面視）の吸音パネルを別途設計・製作して、これに対応するようにすることもできる。
　【００２３】
最後に、本実施態様の効果について箇条書き式に挙げると次のようになる。
（１）既設の高架橋等の空間に架設物による地上の騒音の反射を大幅に低減することができ、騒音問題の解決が得られる。
（２）構造が丈夫であるから、騒音に対する吸音効果と共に常設の高架橋などの補修工事用足場になるので、補修の都度足場架設は不要になる。
　【００２４】
（３）吸音パネルの力学的特徴は、鉄筋を溶接接合した立体トラス構造体とし、上下外板で挟んだ板状構造（パネル）又は上部外板と合成されるため、非常に軽量かつ剛性に富む。
（４）吸音パネルの構造は工場生産のプレファブロックとなっているので、専用の加工・組立て等の設備が利用でき、生産の短期化、品質と精度の向上、製造コストの低減を図ることができる。
　【００２５】
（５）ブロック化により現場搭載点数が大幅に減るので、工事期間を短縮できる。
（６）既設構造物に取付けるに際して、主体構造の橋桁などに取付け穴の穿孔作業や溶接接合作業を避けることができる。
（７）現場建設にあたり、可撓性を有した伸縮吊り具を用いて一時的に保持して吊り足場を形成する等して別途架設用足場を組むような作業が不要となる。
　【００２６】
（８）建設重機械の使用を短時間にとどめて、交通妨害を大幅に減らすことができる。
（９）足場ブロック間に若干の隙間を許容できる場合、大半は長方形の標準規格寸法のもので賄えるし、或いは、当該隙間を目板で塞ぐようにしてもよい。足場の敷設区域の中心部を前記の規格パネルを敷き並べて、周辺部を先に設置した中心部を基準にして計測・現場型取り法等を適用することができる。いずれの方法によるも、施工前の精密な測量、規格外れや異形の足場パネルの利用を大幅に低減でき、経済効果は絶大である。
　【００２７】
（１０）本実施例の鉄筋立体骨組み構造は、構造美に優れ、鉄筋剥き出しで設置周辺の環境に調和し、美観を損なうことがない。
（１１）本実施例の鉄筋立体骨組み構造は、亜鉛鍍金、塗装などにより、美観と耐久性に優れ、補修の機会と費用を大幅に減少させ得る。
（１２）設置現場の精密な測量作業や現場型取り工程を省略することができる。
　【００２８】
以上のように、本実施態様においては非常に多くの優れた効果が期待できることが理解されよう。
　【００２９】
　【発明の効果】
以上説明したように本発明によれば、上記従来工法の有する様々な不都合を見事に解決でき、作業経済性、安全性、環境保護性等の面で社会に著しく貢献できる。
【図面の簡単な説明】
　【図１】吸音パネル単体の要部破断斜視図である。
　【図２】吸音パネルを示す図であり、同図（ａ）は平面図、同図（ｂ）は正面図、同図（ｃ）は側面図である。
　【図３】鉄筋構造体の斜視図である。
　【図４】鉄筋構造体の要部拡大図であり、同図（ａ）は側面図、同図（ｂ）は正面図である。
　【図５】パンチングプレート単体を示す図であり、同図（ａ）は長手方向から見た図、同図（ｂ）は側方から見た図である。
　【図６】吸音部材を長手方向から見た図である。
　【図７】吸音板の断面図である。
　【図８】吸音パネルの取付け用プレートを示す図であり、同図（ａ）は吸音パネル長手方向から見た図、同図（ｂ）は側方から見た図である。
　【図９】親綱の設置作業状態を示す図である。
　【図１０】親綱の設置作業状態を別の角度から示した図である。
　【図１１】足場用チェーンの取付け作業状態を示す図である。
　【図１２】吸音パネルの保持状態を示す図である。
　【図１３】吸音パネルの保持状態の要部斜視図である。
　【図１４】ファブステージ足場の取付け状態を示す図である。
　【図１５】ブラケット取付け板の溶接作業を示す図である。
　【図１６】ブラケットの取付け作業を示す図である。
　【図１７】吊下げチャンネルの取付け作業を示す図である。
　【図１８】吸音パネルの高さ出し作業を示す図である。
　【図１９】吸音パネルの本固定作業を示す図である。
　【図２０】化粧パネルの取付け作業を示す図である。
　【図２１】養生パネル等の取り外し作業を示す図である。
　【図２２】養生パネル等の取り外し作業を全体的に示す図である。
　【図２３】高架橋の桁下に固定配置された吸音パネルの要部破断斜視図である。
　【図２４】本実施例に係る吸音足場設置済みの高架橋全体の横断面図である。
　【図２５】吸音パネルの矩形状設置状態の平面図である。
　【図２６】小さな曲率で曲がっている吸音パネル設置状態の一例の平面図である。
　【図２７】大きな曲率で曲がっている吸音パネル設置状態の一働の平面図である。
　【符号の説明】
１…吸音パネル
３…鉄筋構造体
５…吸音部材
７…吸音板
９…床板
１１…縦筋
１３…横筋
１５…ウエブ筋
１７…パンチングプレート
２１…取付け用プレート
３３…高架橋
３５…橋脚
３９…チェーン吊金具
４１…足場用チェーン
４３…フック付タンバックル
４５…カバー支柱
４７…足場ブラケット
４９…ファブステージ足場
５５…ブラケット取付け板
５７…ブラケット
５９…吊下げチャンネル
６１…化粧パネル